(57)【要約】      （修正有）【課題】赤外線レンズの表面に付着した水滴がＤＬＣ膜上に溜まることを防ぎ、ＤＬＣ膜及び中間層の剥離を防止することができるレンズ鏡筒び赤外線撮像装置を提供する。【解決手段】硫化亜鉛を含む赤外線透過性の赤外線レンズ２と、赤外線レンズ２を鏡筒１の一端に固定するレンズ固定枠３とを備えたレンズ鏡筒において、赤外線レンズ２の表面に中間層を介して形成されたＤＬＣ膜を備え、レンズ固定枠３に、赤外線レンズ１の周縁に倣う円環枠部３０を備え、赤外線レンズ１の周縁及び円環枠部３０の面位置が略一致するように構成する。【選択図】図１
2008225104.tif 000002
【特許請求の範囲】
【請求項１】
硫化亜鉛を含む赤外線透過性のレンズを、鏡筒の一端側に備えたレンズ固定枠で固定してなるレンズ鏡筒において、
前記レンズの前記一端側の面に中間層を介してＤＬＣ膜が形成されており、
前記レンズ固定枠は、
前記一端側に環状平面部分を備えており、
前記レンズは、
前記一端側に前記環状平面部分と面一をなす環状平面部分を備える
ことを特徴とするレンズ鏡筒。
【請求項２】
前記レンズ固定枠は、
周縁から前記鏡筒の他端側に突出しており、前記鏡筒に外嵌する筒部を備える
ことを特徴とする請求項１に記載のレンズ鏡筒。
【請求項３】
前記環状平面部分と前記筒部との間が湾曲している
ことを特徴とする請求項２に記載のレンズ鏡筒。
【請求項４】
前記レンズ固定枠と前記レンズとの間を封じるシール部材を備える
ことを特徴とする請求項１乃至請求項３のいずれか一つに記載のレンズ鏡筒。
【請求項５】
請求項１乃至請求項４のいずれか一つに記載のレンズ鏡筒と、
前記レンズにて結像した像を撮像する撮像部と
を備えることを特徴とする赤外線撮像装置。
【発明の詳細な説明】
【技術分野】
【０００１】
本発明は、硫化鉛を含む赤外線透過性のレンズ、及び該レンズをレンズ鏡筒に固定するレンズ固定枠を備えるレンズ鏡筒、及び該レンズ鏡筒を備えた赤外線撮像装置に関する。
【背景技術】
【０００２】
図１３は、従来のレンズ鏡筒の要部を模式的に示す片側断面図である。レンズ鏡筒は、鏡筒３０１、赤外線レンズ３０２及びレンズ固定枠３０３を備えている。鏡筒３０１の一端側の内周面には、赤外線レンズ３０２を鏡筒３０１に固定するためのレンズ受座が形成されており、鏡筒３０１に内嵌した赤外線レンズ３０２はレンズ受座に支持されている。また、鏡筒３０１の前記内周面には雌ねじが螺刻されている。レンズ固定枠３０３は、外周面に雄ねじが螺刻された環状をなしており、レンズ固定枠３０３が鏡筒３０１に螺合することによって、赤外線レンズ３０２は鏡筒にねじ止め固定される。
【非特許文献１】中川治平著，「レンズ設計工学」，東海大学出版会，１９８６年８月３１日，ｐ．１９２−１９３
【発明の開示】
【発明が解決しようとする課題】
【０００３】
一方、耐環境性を向上させるべく、赤外線レンズの表面をＤＬＣ（diamond like carbon）膜で覆うことが考えられている。ＤＬＣ膜は、ダイヤモンドに類似した構造を有するアモルファスの炭素薄膜である。ＤＬＣ膜と赤外線レンズとの間には、ＤＬＣ膜の密着性を向上させる中間層が介装されている。
しかしながら、ＤＬＣ膜は親水性であるため、ＤＬＣ膜上に水滴Ｗが溜まったままの状態にすると、水滴Ｗが中間層及びＤＬＣ膜に浸透し、ＤＬＣ膜及び中間層が剥離してしまうという問題があった。
図１３に示すような構成の場合、赤外線レンズとレンズ固定枠との間に溝部分が形成されるため、水滴Ｗが該溝部分に溜まり、ＤＬＣ膜及び中間層が剥離する虞があった。
【０００４】
本発明は斯かる事情に鑑みてなされたものであり、赤外線透過性のレンズ及びレンズ固定枠の表面に面一をなす環状平面部分を備えることにより、レンズの表面とレンズ固定枠との間に水滴が溜まることを防ぎ、ＤＬＣ膜及び中間層の剥離を防止することができるレンズ鏡筒、及び該レンズ鏡筒を備えた赤外線撮像装置を提供することを目的とする。
【課題を解決するための手段】
【０００５】
第１発明に係るレンズ鏡筒は、硫化亜鉛を含む赤外線透過性のレンズを、鏡筒の一端側に備えたレンズ固定枠で固定してなるレンズ鏡筒において、前記レンズの前記一端側の面に中間層を介してＤＬＣ膜が形成されており、前記レンズ固定枠は、前記一端側に環状平面部分を備えており、前記レンズは、前記一端側に前記環状平面部分と面一をなす環状平面部分を備えることを特徴とする。
【０００６】
第２発明に係るレンズ鏡筒は、前記レンズ固定枠は、周縁から前記鏡筒の他端側に突出しており、前記鏡筒に外嵌する筒部を備えることを特徴とする。
【０００７】
第３発明に係るレンズ鏡筒は、前記環状平面部分と前記筒部との間が湾曲していることを特徴とする。
【０００８】
第４発明に係るレンズ鏡筒は、前記レンズ固定枠と前記レンズとの間を封じるシール部材を備えることを特徴とする。
【０００９】
第５発明に係る赤外線撮像装置は、第１乃至第４発明のいずれか一つに記載のレンズ鏡筒と、前記レンズにて結像した像を撮像する撮像部とを備えることを特徴とする。
【００１０】
第１及び第５発明にあっては、レンズ固定枠はレンズを鏡筒の一端側に固定している。レンズ及びレンズ固定枠は前記一端側に環状平面部分を備えており、各環状平面部分は面一をなしている。つまり、各環状平面部分の境界部分は略平面状である。なお、一端側は例えば図１中左側、即ち外側を示している。このため、レンズとレンズ固定枠との間には水滴が溜まるような窪み、溝部等は形成されず、水滴がレンズとレンズ固定枠との間に溜まることはない。
従って、レンズの前記一端側に中間層を介して形成されたＤＬＣ膜上に水滴が留まり、ＤＬＣ膜及び中間層が剥離することはない。
また、レンズは高硬度のＤＬＣ膜で覆われているため、耐環境性を向上させることができる。
なお、前記レンズ鏡筒と撮像部とを備えた赤外線撮像装置も上述の作用を有しており、耐環境性を向上させるＤＬＣ膜及び中間層の剥離を防止することができる。
【００１１】
第２及び第５発明にあっては、レンズ固定枠は周縁から鏡筒の他端側に突出しており、鏡筒に外嵌する筒部を備えているため、レンズ固定枠は鏡筒の一端側を覆うようにして外嵌し、レンズを鏡筒に固定する。
従って、レンズのＤＬＣ膜上からレンズ固定枠の環状平面部分に移動した水滴がレンズ固定枠と鏡筒との間に溜まり、該水滴がレンズのＤＬＣ膜上に戻ってくるようなことはない。
【００１２】
第３及び第５発明にあっては、レンズ固定枠の環状平面部分と筒部との間は湾曲している。従って、レンズのＤＬＣ膜上からレンズ固定枠の環状平面部分に移動した水滴は、鏡筒の径方向外側又は他端側に移動し易く、レンズのＤＬＣ膜上に水滴が戻ることを防止することができる。
【００１３】
第４及び第５発明にあっては、レンズ固定枠とレンズとの間をシールするシール部材を備えているため、レンズとレンズ固定枠との間に水が浸入することを防止することができる。
従って、レンズ固定枠とレンズとの間に浸入した水滴によってＤＬＣ膜が剥離することを防止することができる。
【発明の効果】
【００１４】
本発明によれば、レンズの耐環境性を向上させることができ、かつレンズの表面とレンズ固定枠との間に水滴が溜まることを防ぎ、ＤＬＣ膜及び中間層の剥離を防止することができる。
【発明を実施するための最良の形態】
【００１５】
以下、本発明をその実施の形態１を示す図面に基づいて詳述する。
（実施の形態１）
図１は、本発明の実施の形態１に係るレンズ鏡筒Ａの要部を模式的に示す一部破断断面図、図２はレンズ鏡筒Ａを模式的に示す片側断面図、図３はレンズ鏡筒Ａを模式的に示す正面図である。本発明の実施の形態１に係るレンズ鏡筒Ａは、鏡筒１、赤外線レンズ２、レンズ固定枠３、及びＯリング４（シール部材）を備えており、赤外線レンズ２はレンズ固定枠３にて鏡筒１の一端側（図１中左側）に固定されている。
【００１６】
図４は鏡筒１の模式図である。図４（ａ）は鏡筒１の正面図、図４（ｂ）は鏡筒１の片側断面図、図４（ｃ）は鏡筒１を背面側から見た断面図である。鏡筒１は円筒状であり、一端側に赤外線レンズ２が内嵌するように形成されている。鏡筒１の内径は赤外線レンズ２の最外径よりも小径であり、鏡筒１の外径は赤外線レンズ２の最外径よりも大径である。鏡筒１の一端面の径方向内側部分には、一端側を臨み、赤外線レンズ２を支持する環状のレンズ支持面１ｃが形成されている。また、前記一端面の径方向外側部分には、赤外線レンズ２を囲繞するようにして保持するレンズ保持部１ｄが形成されている。レンズ保持部１ｄは正面視が環状であり、軸断面は略矩形である。鏡筒１の外周面１ａの一端側には、軸方向に沿って適宜長に亘る雄ねじ１ｅが形成されている。また、鏡筒１の内周面１ｂには余分な赤外線を吸収する赤外線吸収塗料等が塗布されている。
【００１７】
図５は赤外線レンズ２の模式図である。図５（ａ）は赤外線レンズ２の正面図、図５（ｂ）は赤外線レンズ２の片側断面図、図５（ｃ）は赤外線レンズ２の背面図である。赤外線レンズ２は、硫化亜鉛ＺｎＳ等からなる赤外線透過性の平凸レンズである。赤外線レンズ２は一端側に球面部分２ａを有しており、他端側（図１中右側）に平面部分２ｂを有している。球面部分２ａの直径は約３〜４ｃｍである。赤外線レンズ２は、径方向外側に周縁部分２ｅを備えている。周縁部分２ｅは、図１中一点鎖線で囲まれた部分である。周縁部分２ｅは、軸断面が矩形状であり、光軸に対して略垂直な環状平面部分２ｆを一端側に備えている。また、周縁部分２ｅの他端側部分には、鍔部２ｇが径方向外側に延設されている。鍔部２ｇは、赤外線レンズ２を鏡筒１の一端側に内嵌支持するためのものである。鍔部２ｇは、軸断面が略矩形であり、外径はレンズ保持部１ｄの内径に等しく、鏡筒１の一端側に赤外線レンズ２が内嵌するような寸法である。また鍔部２ｇの光軸方向の幅は、レンズ保持部１ｄの光軸方向の幅に等しい。従って、鏡筒１の一端側に赤外線レンズ２が内嵌した場合、鍔部２ｇの一端側の面と、レンズ保持部１ｄの一端側の面とが面一になる。
【００１８】
なお、赤外線レンズ２は、レンズ形状の金型を用い、硫化亜鉛原料粉末を非酸化性雰囲気中、例えば真空、アルゴン等の不活性ガス中で熱間圧縮成形することにより、多結晶硫化亜鉛焼結体の赤外線レンズ２として製造される。
より詳細には、硫化亜鉛原料粉末としては、平均粒径０．５〜２μｍで純度９８％以上の粉末を用いる。また、熱間圧縮成型の諸条件は、温度９００〜１１００度、圧力１５０〜８００ｋｇ／ｃｍ2 が適当である。圧力保持時間は、平均的には０．０５〜１．５時間であり、温度及び圧力条件との組み合わせに応じて適宜調節される。
【００１９】
赤外線レンズ２の球面部分２ａは中間層２ｃ及びＤＬＣ膜２ｄにて被覆されている。ＤＬＣ膜２ｄは、ダイヤモンドに類似した構造を有するアモルファスの炭素薄膜である。ＤＬＣ膜２ｄは、表面硬度がヌープ硬度で２０００以上であり、化学的に安定で、可視から赤外域まで優れた透過性を有している。また、ＤＬＣ膜２ｄは、膜厚が０．２μｍ以上２０μｍ以下であり、屈折率は２．０〜２．４である。なお、ＤＬＣ膜２ｄの膜厚は、赤外線透過率を考慮すると、２μｍ以下とすることが好ましい。
更に、赤外線レンズ２とＤＬＣ膜２ｄとの間には、赤外線レンズ２とＤＬＣ膜２ｄとの密着力を増加させる中間層２ｃが形成されている。
中間層２ｃは、例えば、酸化イットリウムＹ2 Ｏ3 、酸化アルミニウムＡｌ2 Ｏ3 、酸化チタンＴｉＯ3 等の酸化物、フッ化マグネシウムＭｇＦ2 、フッ化イットリウムＹＦ3 、フッ化ランタンＬａＦ3 、フッ化ゲルマニウムＧｅＦ3 等のフッ化物、ゲルマニウムＧｅ、珪素Ｓｉ、リン化ガリウムＧａＰ、リン化ホウ素ＢＰ等であり、膜厚は０．０２μｍ以上２５μｍ以下である。該中間層２ｃは、ＤＬＣ膜２ｄ及び赤外線レンズ２との密着性に優れている。なお、中間層２ｃの膜厚は、赤外線透過率を考慮すると、０．２μｍ以下とすることが好ましい。
【００２０】
ＤＬＣ膜２ｄ及び中間層２ｃは、スパッタリング法、真空蒸着法、イオンプレーティング法、ＣＶＤ法、プラズマＣＶＤ法等によって成膜される。イオンプレーティング法によれば、真空チャンバー内で、直流アーク放電にて生成された炭化水素イオンを、赤外線レンズ２の球面部分２ａ及び周縁部分２ｅに衝突させ、固体化させることでＤＬＣ膜２ｄが成膜される。
【００２１】
図６はレンズ固定枠３の模式図である。図６（ａ）はレンズ固定枠３の正面図、図６（ｂ）はレンズ固定枠３の片側断面図、図６（ｃ）はレンズ固定枠３の背面図である。
レンズ固定枠３は、鏡筒１のレンズ保持部１ｄに保持された赤外線レンズ２を他端側に押圧することによって、赤外線レンズ２を鏡筒１にねじ止め固定できるように形成されている。レンズ固定枠３は、赤外線レンズ２の周縁部分２ｅに外嵌して、鍔部２ｇを他端側に押圧する板状の円環枠部３０を備えている。円環枠部３０の内径は赤外線レンズ２の周縁部分２ｅの外径に略等しく、外径は鏡筒１の外径よりも適宜長、大径となるように形成されている。円環枠部３０の光軸方向の幅は、光軸方向における周縁部分２ｅの幅から鍔部２ｇの幅及びＯリング４の線径を減算して得られる長さにおよそ等しい。従って、レンズ固定枠３にて赤外線レンズ２を鏡筒１に固定した場合、周縁部分２ｅの環状平面部分２ｆと、レンズ固定枠３の一端側の環状平面部分３０ａとが面一になる。なお、円環枠部３０の光軸方向の幅は、Ｏリング４の弾性変形量を考慮して、周縁部分２ｅの環状平面部分２ｆと、レンズ固定枠３の一端側の環状平面部分３０ａとが面一になるような長さとして適宜決定すれば良い。
【００２２】
また、レンズ固定枠３は、円環枠部３０の径方向外側から鏡筒１の他端側へ突出しており、鏡筒１に外嵌する筒部３１と、円環枠部３０と筒部３１との間が湾曲するように曲成された湾曲部３２とを備えている。筒部３１の内周面には鏡筒１の雄ねじ１ｅに螺合する雌ねじ３１ｂが螺刻されている。外周面３１ａは水滴が他方側に流れ易いように滑らかに形成されている。また、外周面３１ａを高撥水性の被膜でコーティングしても良い。
【００２３】
更に、円環枠部３０の他端側のレンズ押圧面３０ｂには、周縁部分２ｅより大径の環状溝が刻設されており、該環状溝にはＯリング４が嵌め込まれている。
【００２４】
Ｏリング４は、円環枠部３０のレンズ押圧面３０ｂと、鍔部２ｇの一端側の面との間を封じて、水の浸入を防止する。Ｏリング４は、赤外線レンズ２の周縁部分２ｅを囲繞する径寸法を有しており、フッ素ゴム、シリコンゴム、エチレン・プロピレンゴム等の樹脂で形成されている。
【００２５】
図７及び図８は、レンズ鏡筒Ａの組み立て方法を模式的に示す断面図である。
まず、図７（ａ）に示すように赤外線レンズ２を球面部分２ａが一端側を向くようにレンズ保持部１ｄに嵌合させる。そして、図７（ｂ）に示すように赤外線レンズ２の周縁部分２ｅにＯリング４を外嵌させる。
【００２６】
次いで、図８（ｃ）に示すように、レンズ固定枠３を鏡筒１に外嵌させ、図８（ｄ）に示すようにレンズ固定枠３を鏡筒１に螺合させる。なお、Ｏリング４をレンズ固定枠３の環状溝に嵌め込んだ後に、レンズ固定枠３を鏡筒１に螺合しても良い。
【００２７】
図９は、本実施の形態１に係るレンズ鏡筒Ａの作用を模式的に示す片側断面図である。本実施の形態１に係るレンズ鏡筒Ａを備えた赤外線撮像装置を車両前部に搭載し、赤外線レンズ２が進行方向を臨むように固定した場合を想定して、レンズ鏡筒Ａの作用を説明する。
【００２８】
図９（ａ）は、赤外線レンズ２の球面部分２ａに水滴Ｗが付着した状態を示している。白抜矢印は、車両の走行によって赤外線レンズ２が受ける風の流れを示している。赤外線レンズ２の表面に水滴Ｗが長時間残存していると、水がＤＬＣ膜２ｄを浸透し、ＤＬＣ膜２ｄ及び中間層２ｃが剥離するという問題が生ずる。
【００２９】
ところが、本実施の形態１によれば、図９（ｂ）に示すように赤外線レンズ２の環状平面部分２ｆと、レンズ固定枠３の環状平面部分３０ａが面一であるため、赤外線レンズ２の球面部分２ａに付着した水滴は風力によって周縁部分２ｅ及び円環枠部３０に沿って径方向外側へ移動する。
つまり、赤外線レンズ２の環状平面部分２ｆとレンズ固定枠３の環状平面部分３０ａとの境界部分が平面状をなすため、該境界部分に水滴が留まることはなく、径方向外側へ移動する。図９（ｂ）では水滴が上方へ移動しているが、重力によって水滴が下方へ移動した場合も同様である。
【００３０】
また、レンズ固定枠３は湾曲部３２を有しているため、径方向外側まで移動した水滴Ｗは、更に筒部３１へ移動し、レンズ鏡筒Ａの他端側へ流れていく。
【００３１】
図１０は、実施の形態１に係る赤外線撮像装置の構成を模式的に示す側断面図である。
赤外線撮像装置はレンズ鏡筒Ａ及び撮像部５と、レンズ鏡筒Ａ及び撮像部５を収容した筐体７とを備えている。レンズ鏡筒Ａは、赤外線レンズ２に加えて、２枚の赤外線レンズを備えている。筐体７は、レンズ鏡筒Ａが螺嵌されて取り付けられる筒状のレンズ取付部６を備えている。
【００３２】
撮像部５はレンズ鏡筒Ａが備える赤外線レンズ２の背面側の適宜箇所に配設されており、赤外線レンズ２にて結像した像をアナログの電気信号に変換及び増幅し、外部出力する。なお、撮像部５が光電変換したアナログの電気信号をデジタルの輝度信号に変換して出力するように構成しても良い。
【００３３】
本実施の形態１に係るレンズ鏡筒Ａ及び赤外線撮像装置にあっては、赤外線レンズ２とレンズ固定枠３との間に水滴Ｗが溜まることを防ぎ、ＤＬＣ膜２ｄ及び中間層２ｃの剥離を防止することができる。
【００３４】
また、赤外線レンズ２をＤＬＣ膜２ｄで覆うことにより、赤外線レンズ２の耐環境性を確保することができる。本実施の形態１に係るレンズ鏡筒Ａを用いて赤外線撮像装置を構成する場合、赤外線レンズ２の一端側に保護窓、保護網等を設ける必要がないため、赤外線撮像装置をより小型化することができる。更には、該赤外線撮像装置を適用した夜間運転支援装置等の各種装置を小型化することができる。
【００３５】
更に、レンズ固定枠３は周縁から鏡筒１の他端側に突出しており、鏡筒１に外嵌する筒部３１を備えているため、赤外線レンズ２の表面からレンズ固定枠３の環状平面部分３０ａに移動した水滴Ｗがレンズ固定枠３と鏡筒１との間に溜まり、ＤＬＣ膜２ｄ上に戻ってくるようなことを防止することができる。従って、水滴ＷがＤＬＣ膜２ｄ上に溜まることをより効果的に防ぎ、ＤＬＣ膜２ｄ及び中間層２ｃの剥離を防止することができる。
【００３６】
更にまた、レンズ固定枠３は周縁から他端側に湾曲した湾曲部３２を備えているため、赤外線レンズ２の表面からレンズ固定枠３の環状平面部分３０ａに移動した水滴Ｗをより効果的に鏡筒１の他端側へ流すことができ、ＤＬＣ膜２ｄ及び中間層２ｃの剥離を防止することができる。
【００３７】
更にまた、赤外線レンズ２とレンズ固定枠３との間を封じるＯリング４を備えているため、水が赤外線レンズ２とレンズ固定枠３との間に浸入して、ＤＬＣ膜２ｄ及び中間層２ｃが剥離することを防止することができる。
【００３８】
更にまた、レンズ固定枠３と赤外線レンズ２との間には弾性体であるＯリング４が介装されており、レンズ固定枠３は鏡筒１に螺合するように構成されているため、環状平面部分２ｆ，３０ａが面一位になるように、鏡筒１に対するレンズ固定枠３の光軸方向の位置を微調整することができる。
従って、赤外線レンズ２、レンズ固定枠３及び鏡筒１に寸法公差をより大きく設定することができ、より低コストで本発明に係るレンズ鏡筒Ａ及び赤外線撮像装置を構成することができる。
【００３９】
更にまた、赤外線レンズ２をモールド成形可能な硫化亜鉛にて構成してあるため、環状平面部分２ｅ、鍔部２ｇ等の細部を簡易に成形することができ、レンズ鏡筒Ａ及び赤外線撮像装置を低コストで構成することができる。
【００４０】
なお、実施の形態１にあっては、平凸レンズの赤外線レンズを説明したが、赤外線レンズの形状はこれに限定されず、他の形状であっても良い。例えば両凸レンズ、凸メニスカスレンズ、両凹レンズ、平凹レンズ、凹メニスカスレンズ、非球面レンズ、フレネルレンズ等に本発明を適用しても良い。
【００４１】
また、レンズ固定具は鏡筒の一端側を覆うように外嵌する構成であるが、鏡筒に内嵌するように構成しても良い。但し、鏡筒にレンズ固定具が内嵌した場合、水滴が鏡筒外部に流れ出にくいため、本実施の形態１の方がより好適である。
【００４２】
更にまた、レンズ固定枠を鏡筒に螺合するように構成してあるが、鏡筒に対するレンズ固定枠の固定方法はこれに限定されない。例えば圧入によって、レンズ固定枠を鏡筒に固定しても良い。
【００４３】
更にまた、赤外線レンズを押圧固定するように構成してあるが、レンズ固定枠にて赤外線レンズを固定できれば、その固定方法はこれに限定されない。例えばレンズ固定枠にて赤外線レンズを挾持し、赤外線レンズを挾持したレンズ固定枠をレンズ鏡筒に固定するように構成しても良い。
【００４４】
更にまた、赤外線レンズ及びレンズ固定枠の環状平面部分の形状は一例であり、境界部分が面一をなすように形成されていれば、その大きさ、形成部位等は特に限定されない。
【００４５】
更にまた、環状平面部分は完全な面一を構成する必要はなく、水滴が溜まらない程度に面一をなしていれば足りる。
【００４６】
更にまた、赤外線レンズとレンズ固定枠との間を封じるシール部材としてＯリングを説明したが、水の浸入を防止することができるのであれば、他の構成であっても良い。
【００４７】
更にまた、レンズ鏡筒の用途は特に限定されないが、耐環境性が要求される赤外線撮像装置用、該撮像装置を備えた夜間運転支援システム用、トンネル内監視用、港湾監視用、鉄道線路への侵入者監視用に適用した場合、特に効果的である。
【００４８】
更にまた、今回開示された実施の形態はすべての点で例示であって、制限的なものではないと考えられるべきである。本発明の範囲は、上記した意味ではなく、特許請求の範囲によって示され、特許請求の範囲と均等の意味および範囲内でのすべての変更が含まれることが意図される。
【００４９】
（実施の形態２）
図１１は、本発明の実施の形態２に係るレンズ鏡筒を模式的に示す片側断面図、図１２は、レンズ鏡筒の要部を模式的に示す一部破断断面図である。
実施の形態２に係るレンズ鏡筒は、実施の形態１に係るレンズ鏡筒Ａと同様の赤外線レンズ２０２、鏡筒１、レンズ固定具及びＯリング４を備えており、赤外線レンズ２０２の形状のみが異なるため、以下では主に上記相違点について説明する。
【００５０】
実施の形態２に係る赤外線レンズ２０２は、硫化亜鉛ＺｎＳ等からなる赤外線透過性の平凹レンズである。赤外線レンズ２０２は一端側（図１１中左側）に平面部分２０２ａを有しており、他端側（図１１中右側）に凹面部分を有している。赤外線レンズ２０２の周縁部分２０２ｅには、レンズ固定枠３の環状平面部分３０ａと面一をなす環状平面部分２０２ｆが平面部分２０２ａと連続的に形成されている。なお、周縁部分２０２ｅは、図中一点鎖線で囲まれた部分である。また、周縁部分２０２ｅの他端側部分には、鍔部２０２ｇが径方向外側に延設されている。鍔部２０２ｇは、軸断面が略矩形であり、外径はレンズ保持部１ｄの内径に等しく、鏡筒１の一端側に赤外線レンズ２０２が内嵌するような寸法である。また鍔部２０２ｇの光軸方向の幅は、レンズ保持部１ｄの光軸方向の幅に等しい。従って、鏡筒１の一端側に赤外線レンズ２０２が内嵌した場合、鍔部２０２ｇの一端側の面と、レンズ保持部１ｄの一端側の面とが面一になる。
【００５１】
実施の形態２にあっては、赤外線レンズ２０２の環状平面部分２０２ｆとレンズ固定枠３の環状平面部分３０ａとが面一になるため実施の形態１同様、レンズの耐環境性を向上させることができ、赤外線レンズ２０２とレンズ固定枠３との間に水滴が溜まることを防ぎ、ＤＬＣ膜２０２ｄ及び中間層２０２ｃの剥離を防止することができる。
【００５２】
赤外線レンズ２０２の一端側を平面とすることにより、ＤＣＬ膜２０２ｄの膜厚及び膜質を均一にすることができ、ＤＬＣ膜２０２ｄと赤外線レンズ２０２との密着力を向上させることができる。また、ＤＬＣ膜２０２ｄの膜厚及び膜質を均一化することにより、レンズ設計が容易になり、均一な光学特性を有する赤外線レンズ群を製造することができる。
【００５３】
実施の形態２に係るレンズ鏡筒及び及び赤外線撮像装置の他の構成、作用及び効果は、実施の形態１に係るレンズ鏡筒の構成、作用及び効果と同様であるため、対応する箇所には同様の符号を付して詳細な説明を省略する。
【図面の簡単な説明】
【００５４】
【図１】本発明の実施の形態１に係るレンズ鏡筒の要部を模式的に示す一部破断断面図である。
【図２】レンズ鏡筒を模式的に示す片側断面図である。
【図３】レンズ鏡筒を模式的に示す正面図である。
【図４】鏡筒の模式図である。
【図５】赤外線レンズの模式図である。
【図６】レンズ固定枠の模式図である。
【図７】レンズ鏡筒の組み立て方法を模式的に示す断面図である。
【図８】レンズ鏡筒の組み立て方法を模式的に示す断面図である。
【図９】本実施の形態１に係るレンズ鏡筒の作用を模式的に示す片側断面図である。
【図１０】実施の形態１に係る赤外線撮像装置の構成を模式的に示す側断面図である。
【図１１】本発明の実施の形態２に係るレンズ鏡筒を模式的に示す片側断面図である。
【図１２】レンズ鏡筒の要部を模式的に示す一部破断断面図である。
【図１３】従来のレンズ鏡筒の要部を模式的に示す片側断面図である。
【符号の説明】
【００５５】
Ａ  レンズ鏡筒
１  鏡筒
１ｃ  レンズ支持面
１ｄ  レンズ保持部
１ｅ  雄ねじ
２  赤外線レンズ
２ａ  球面部分
２ｂ  平面部分
２ｃ  中間層
２ｄ  ＤＬＣ膜
２ｅ  周縁部分
２ｆ，３０ａ  環状平面部分
２ｇ  鍔部
３  レンズ固定枠
３０  円環枠部
３０ｂ  レンズ押圧面
３１  筒部
３１ｂ  雌ねじ
３２  湾曲部
４  Ｏリング
５  撮像部
【図１】
2008225104.tif 000003
【図２】
2008225104.tif 000004
【図３】
2008225104.tif 000005
【図４】
2008225104.tif 000006
【図５】
2008225104.tif 000007
【図６】
2008225104.tif 000008
【図７】
2008225104.tif 000009
【図８】
2008225104.tif 000010
【図９】
2008225104.tif 000011
【図１０】
2008225104.tif 000012
【図１１】
2008225104.tif 000013
【図１２】
2008225104.tif 000014
【図１３】
2008225104.tif 000015